(57)【要約】      （修正有）【課題】複数種の帳票が混在しても、取り込みガイドで障害にならず、スキューやジャムのない給紙装置を提供する。【解決手段】給紙装置１０は、帳票の第１、第２の辺のそれぞれを第１、第２の方向に揃える第１、第２の基準壁面１９ａを有し、前記帳票を積載する帳票積載部と、前記第２の基準壁面１９ａから離間して配置され、前記帳票を搬送する搬送路と、前記帳票積載部と前記搬送路の間の前記第１の基準壁面側に配置され、前記帳票の前記第２の辺を取り込んで前記搬送路に給紙する給紙ローラ１６と、前記帳票積載部と前記搬送路の間の前記第１の基準壁面側とは反対側に配置され、前記第２の基準壁面１９ａから前記搬送路に向って傾斜する傾斜部１９ｂを有するガイド板１９と、を具備することができる。【選択図】図４
2013199360.tif 000002
【特許請求の範囲】
【請求項１】
帳票の第１の辺を第１の方向に揃える第１の基準壁面を有し、前記帳票を積載する帳票積載部と、
前記帳票積載部から離間して配置され、前記帳票を搬送する搬送路と、
前記帳票積載部と前記搬送路の間の前記第１の基準壁面側に配置され、前記帳票の第２の辺を取り込んで前記搬送路に給紙する給紙ローラと、
前記帳票の第２の辺を第２の方向に揃える第２の基準壁面と、前記帳票積載部と前記搬送路の間の前記第１の基準壁面側とは反対側に配置され、前記第２の基準壁面から前記搬送路に向って傾斜する傾斜部を有するガイド板と、
を具備する給紙装置。
【請求項２】
前記ガイド板は、前記第２の方向を長手方向とし、側面がＬ字形状に形成される回動可能な第１の板部材と、前記第２の方向を長手方向とする平板形状の回動可能な第２の板部材と、を有し、
前記帳票の搬送時以外の時に、前記第１の板部材の前記Ｌ字形状を形成する第１の板材が、前記第２の基準壁面上に垂直に移動し、前記第１の板部材の前記Ｌ字形状を形成する第２の板材と前記第２の板部材が、前記帳票の取込口の前記搬送路と略同じ高さに移動して水平面を形成し、また前記帳票の搬送時に、前記第１の板材と前記第２の板部材が、同じ傾きで連なるように移動し、前記第２の基準壁面から前記搬送路に向って傾斜する傾斜部を形成する請求項１記載の給紙装置。
【請求項３】
前記第１の板部材の前記第１の板材の長手方向の一辺を支点にして、前記第１の板部材を回動させるとともに、前記第２の板部材の前記搬送路側の長手方向の一辺を支点にして、前記第２の板部材を可動させる可動部を、
さらに具備する請求項２記載の給紙装置。
【請求項４】
前記帳票積載部と前記ガイド板の間に配置され、前記ガイド板と前記帳票積載部との仕切り、仕切解除が可能に移動する仕切板を、さらに具備し、
前記帳票の搬送時以外の時に、前記仕切板を前記給紙ローラの方向に移動させて、前記ガイド板と前記帳票積載部との仕切り、また前記帳票の搬送時に、前記仕切板を前記給紙ローラから離間する方向に移動させて、前記ガイド板と前記帳票積載部との仕切りを解除する請求項１記載の給紙装置。
【発明の詳細な説明】
【技術分野】
【０００１】
本発明の実施形態は、例えばホッパテーブル等の積載部に積載された帳票を、光学的帳票読取装置（イメージスキャナー）などの帳票処理装置の内部へ１枚ずつ取り込む給紙装置に関する。
【背景技術】
【０００２】
光学的帳票読取装置の給紙装置では、ホッパテーブルに複数枚積載された帳票を１枚ずつに分離することが望まれている。また、紙サイズ、紙質および紙厚の異なる帳票を混在して帳票積載部にセットすることが望まれている。そこで、従来の光学的帳票読取装置では、給紙ローラに対向するリバースローラの外周面の周方向に沿って溝を形成し、重送された帳票間に空気層が形成されて帳票同士の摩擦係数を下げることで、帳票を１枚ずつ分離して搬送路へ送り出すようにしている。
【先行技術文献】
【特許文献】
【０００３】
【特許文献１】特開２０１１−５７４３１号公報
【発明の概要】
【発明が解決しようとする課題】
【０００４】
しかしながら、このように複数枚の帳票が積層されているときに、複数種の大きさの異なる帳票が混在している場合がある。帳票の給紙方向に対して直角の方向の長さが異なる複数種の帳票が混在している場合には、給紙ローラの設置されている基準側（例えば、給紙方向に対して直角の方向の左側）で積層された帳票の高さと、その反対側（例えば、給紙方向に対して直角の方向の右側）で積層された帳票の高さとが、異なってしまい、給紙時に帳票の高さが低い側（給紙方向に対して直角の方向の右側）が取り込みガイドに当接して帳票取り込みの障害となり、スキューやジャム等の給紙不良を引き起こす恐れがある。
本発明が解決しようとする課題は、取り込まれる帳票の高さが異なっていても、安定した帳票取込を可能にする給紙装置を提供することにある。
【課題を解決するための手段】
【０００５】
実施形態の給紙装置は、帳票の第１、第２の辺のそれぞれを第１、第２の方向に揃える第１、第２の基準壁面を有し、前記帳票を積載する帳票積載部と、前記第２の基準壁面から離間して配置され、前記帳票を搬送する搬送路と、前記帳票積載部と前記搬送路の間の前記第１の基準壁面側に配置され、前記帳票の前記第２の辺を取り込んで前記搬送路に給紙する給紙ローラと、前記帳票積載部と前記搬送路の間の前記第１の基準壁面側とは反対側に配置され、前記第２の基準壁面から前記搬送路に向って傾斜する傾斜部を有するガイド板と、を具備する。
【図面の簡単な説明】
【０００６】
【図１】一実施形態の光学的帳票読取装置の外観図。
【図２】図１の光学的帳票読取装置の内部構成を概略的に示す側面図。
【図３】図１の光学的帳票読取装置の制御系を機能的に示すブロック図。
【図４】図１の光学的帳票読取装置の開口状態の外観図。
【図５】図１のガイド板の構成を示す斜視図。
【図６】図５のガイド板と帳票を示す斜視図。
【図７】実施形態２のガイド板の構成を示す斜視図。
【図８】図７のガイド板が傾斜面を形成した時を示す斜視図。
【図９】図７のガイド板の側面図。
【図１０】図８のガイド板の側面図。
【図１１】実施形態３のガイド板の側面図。
【図１２】図１１のガイド板が仕切板を下げた状態の側面図。
【発明を実施するための形態】
【０００７】
（実施形態１）
以下、実施形態について図面を参照しながら説明する。図１は、一実施形態の光学的帳票読取装置１の外観図である。図２は、図１の光学的帳票読取装置１の内部構成を概略的に示す側面図である。
【０００８】
図１、図２に示すように、本実施形態に係る光学的帳票読取装置１は、帳票積載部としてのホッパテーブル１１、スタッカ１２、操作パネル部１４、搬送路１５、給紙ローラ１６、光学読取部１７、ガイド板１９、この光学的帳票読取装置１内の各部を制御する制御部２０、電力を供給する電源部２１、図示しない各部の駆動部などを備える。上述した各部のうちの少なくともホッパテーブル１１、搬送路１５、給紙ローラ１６、ガイド板１９は、給紙装置１０を構成している。
【０００９】
図３は、図１の光学的帳票読取装置の制御系を機能的に示すブロック図である。図４は、図１の光学的帳票読取装置の開口状態の外観図である。
図３に示すように、制御部２０は、ＣＰＵ４１、メモリ４２およびインターフェース４３を有している。
【００１０】
インターフェース４３は、内部バスに接続されている。光学読取部１７、表示部としてのディスプレイ３０、操作部３１、印字部１８、帳票を給紙や搬送をするためのモータやベルト、ギヤ等を駆動する駆動部４０、図示しない各種センサーが内部バス、インターフェース４３を介して制御部２０に接続されている。
【００１１】
ホッパテーブル１１は、図１、図２に示すように、光学的帳票読取装置１の筺体の前面下方に突出して設けられ、画像読み取りを行う帳票Ａを、積載してセットする帳票積載部である。
【００１２】
図４に示すように、このホッパテーブル１１は、壁面（第１の基準壁面）１１ａ、この壁面（第１の基準壁面）１１ａに対向する壁面１１ｂと、テーブル面１１ｃを有する。
【００１３】
この壁面（第１の基準壁面）１１ａは、テーブル面１１ｃの一端において、帳票Ａの搬送方向（図２参照）に沿って垂直に設けられ、後述する帳票Ａの第１の辺Ａ１を第１の方向（この実施形態では搬送方向と直交する方向）に揃える基準壁面である。
【００１４】
壁面１１ｂは、テーブル面１１ｃの一端の反対側の搬送方向（図２参照）に沿い、かつ壁面１１ａと対向して垂直に設けられている。この壁面１１ａ，１１ｂ間には、テーブル面１１ｃ上に積載された帳票Ａが介在している。テーブル面１１ｃは、図示しないが、テーブル面１１ｃに積層された複数の帳票Ａのうちの最上部の帳票Ａが給紙ローラ１６に当接するように上方へ移動される機構、例えばエレベータ機構と組み合わされている。このエレベータ機構は従来から実現されているものであり、詳細説明は省略する。
【００１５】
スタッカ１２は、光学的帳票読取装置１の筺体の前面上方に設けられ、光学読取部１７で画像が読み取られて帳票排出口１８から排出された帳票Ａを格納するものである。
【００１６】
操作パネル部１４は、光学的帳票読取装置１の筺体の前面上方でスタッカ１２の近隣に設けられ、ユーザが各種設定を行うものである。この操作パネル部１４は、操作手順等の各種メニューと処理状況及びエラー内容等が表示されるディスプレイ３０と、帳票の処理開始や停止を指示したり、またエラーを解除したりするための操作釦類が設けられている操作部３１とを有する。
【００１７】
搬送路１５には複数の搬送ローラ３２が設けられている。この搬送ローラ３２は、光学読取部１７で帳票イメージが読み取られた帳票Ａをスタッカ１２へ搬送する。搬送ローラ３２は、図４に示すように、下部搬送ローラとしてのドライブローラと、このドライブローラと対向するとともに、このドライブローラ側に付勢される上部搬送ローラとしてのテンションローラとを備える。この構成により、ドライブローラとテンションローラとが帳票Ａを狭持して搬送路１５の下流（スタッカ１２）方向に搬送することができる。
【００１８】
給紙ローラ１６は、帳票Ａを取り込んで搬送する給紙装置１０の一部の機能を有する。図２、図４に示すように、この給紙ローラ１６は、ホッパテーブル１１と搬送路１５の間の壁面（第１の基準壁面）１１ａ側に配置される。この給紙ローラ１６は、帳票Ａの第２の辺Ａ２を取り込んで搬送路１５に給紙する。
【００１９】
この給紙ローラ１６は、図４に示すように、ホッパテーブル１１から帳票Ａを取り込むピックアップローラ３５と、取り込まれた帳票Ａを１枚ずつ分離して搬送するフィードローラ３６、リバースローラ３８等とを備える。
【００２０】
ピックアップローラ３５は、ホッパテーブル１１の上部に配置されている。ピックアップローラ３５のローラ下面は、所定の基準搬送位置とほぼ一致するように配置されている。ピックアップローラ３５は、上昇したホッパテーブル１１に積載された多数の帳票Ａの最上部に当接する。ピックアップローラ３５は、駆動部４０（図３参照）によって、図２に示すように、反時計回りに回動されることで、最上部の帳票Ａをローラ表面の摩擦力で帳票取込口から光学的帳票読取装置１内部へ取り込む。
【００２１】
フィードローラ３６の駆動軸は、ピックアップローラ３５のシャフトと図示しないタイミングベルトで接続されており、軸自体は同方向に回動するが、フィードローラ３６に例えばワンウェイクラッチが内蔵されているため、ローラ自体の動きは異なる。
【００２２】
リバースローラ３８は、図示しない駆動軸、タイミングベルトを介して駆動部４０（図３参照）に接続されている。また、リバースローラ３８は、フィードローラ３６と対向するとともに、図示しないバネによってフィードローラ３６側に付勢されている。このリバースローラ３８は、駆動部４０によって、図２に示すように、矢印方向の反時計回りに回動されることで、１枚目の帳票Ａに重なって搬送された２枚目の帳票Ａをローラ表面の摩擦力で、１枚目の帳票Ａから分離して帳票取込口に戻す分離機能を有する。
【００２３】
図３に示すメモリ４２には、この装置の制御プログラムが記憶されている。ＣＰＵ４１は、この制御プログラムを実行することで装置の制御をする。
【００２４】
ＣＰＵ４１は、駆動部４０を制御して、ピックアップローラ３５、フィードローラ３６、リバースローラ３８、搬送ローラ３２などを駆動する。例えばＣＰＵ４１は、操作部３１から帳票Ａの読み取り開始操作が行われ、その指示を受け付けると、ホッパ昇降用のモータ（駆動部４０）を制御してホッパテーブル１１のテーブル面１１ｃを上昇させる。またこれと共にＣＰＵ４１は、ピックアップローラ３５を図２に示す反時計方向へ回転させる。
【００２５】
光学読取部１７は、給紙ローラ１６の下流の搬送路１５上に設けられている。光学読取部１７には、２本の蛍光ランプが設けられている。この蛍光ランプは帳票Ａに光を照射するためのものである。この帳票Ａに照射された光の反射光は、一点鎖線で示したように２つのミラーで反射された後、密着センサー（ＣＣＤラインセンサー）２５に導かれる。
【００２６】
図５は、図１のガイド板１９の構成を示す斜視図である。図６は、図５のガイド板１９と帳票Ａを示す斜視図である。
図２に示すように、ガイド板１９は、ホッパテーブル１１と搬送路１５の間に設けられ、図４〜図６に示すように、壁面（第２の基準壁面）１９ａ、傾斜面（傾斜部）１９ｂ、水平面１９ｃを有する。
【００２７】
壁面（第２の基準壁面）１９ａは、帳票の第２の辺Ａ２を第２の方向（この実施形態では搬送方向）に揃えるための垂直な基準壁面である。
傾斜面１９ｂは、この壁面１９ａの上端に設けられるとともに、ホッパテーブル１１と搬送路１５の間の壁面１１ａ側とは反対側である壁面１１ｂ側に配置されている。この傾斜面１９ｂは、壁面１９ａから搬送路１５に向って傾斜している。
【００２８】
水平面１９ｃは、この傾斜面１９ｂの上端に設けられている。水平面１９ｃは、搬送方向に沿って略水平に搬送路１５側に延びている。この水平面１９ｃには、複数の搬送ローラ３２が同軸に配置され、帳票Ａの搬送路１５への搬送を可能にしている。
また、図５に示すように、ガイド板１９は、壁面１９ａと水平面１９ｃの間で壁面（第１の基準壁面）１１ａ側に配置された凸部１９ｄを有する。
【００２９】
この凸部１９ｄは、略直角三角形の三角柱形状からなる。この凸部１９ｄの壁面１１ｂ側には傾斜面１９ｂが段差１９ｅを生じさせて配置されている。この段差１９ｅは、略直角三角形の形状からなる。この凸部１９ｄには、給紙ローラ１６（フィードローラ３６とリバースローラ３８）が配置され、帳票Ａのピックアップを可能にしている。
【００３０】
次に、図５、図６を参照してこの光学的帳票読取装置１の動作を説明する。ここで、帳票Ａは、図６に示すように、給紙ローラ１６の設置されている基準壁面１１ａ側の帳票Ａの辺Ａ１の高さが、その反対側の帳票Ａの辺Ａ３の高さより高くなっているものとする。これはホッパテーブル１１に積層された複数の帳票Ａがすべて同じ横幅を持ったものではないからである。つまり、横幅が大きい帳票と横幅が小さい帳票とが混在しており、これら混在した帳票は辺Ａ１にて揃えられているためである。
【００３１】
この光学的帳票読取装置１では、操作部３１より処理開始の指示コマンドの入力があった場合、制御部２０は、ピックアップローラ３５を矢印方向（図７参照）へ回転させ、駆動部４０を制御してホッパテーブル１１を上昇させる。
【００３２】
そして、ホッパテーブル１１上に積載された帳票のうちの最上部の帳票Ａが、ピックアップするのに最適な高さになった基準搬送位置でピックアップローラ３５に当接する。帳票Ａがこの位置に配置された光センサーにより「暗」検知されると、制御部２０はホッパテーブル１１の上昇を停止させる。ここで、ピックアップローラ３５により最上部の帳票Ａが搬送路１５内へ引き入れられる。
【００３３】
制御部２０は、フィードローラ３６を正転（図２の反時計方向）すると共に、リバースローラ３８を逆転（図２の反時計方向）するよう駆動部４０を制御する。各ローラの回転で、ピックアップローラ３５により繰り出された帳票Ａが搬送路１５内に取り込まれる。
【００３４】
ここで、光学的帳票読取装置１内に引き入れられた帳票Ａの辺Ａ３の高さが、帳票Ａの辺Ａ１より低くなっていても、この帳票Ａの辺Ａ３がガイド板１９の傾斜面１９ｂによって案内され、ガイド板１９を乗り越えることができる。すなわち、帳票Ａの辺Ａ２がガイド板１９の傾斜面１９ｂ上を乗り越えて、搬送路１５側に取り込まれ、帳票Ａは搬送ローラ３２によって搬送路１５に搬送され、光学読取部１７の読み取り位置まで搬送される（図２参照）。
【００３５】
光学読取部１７で帳票Ａの画像を読み取っているときは、画像が伸縮しないように複数のドライブローラ３３の回転速度をパルスモータで同一にする。密着センサーにより読み取られた画像のイメージ信号が制御部２０へ出力される。ＣＰＵ４１は、入力されたイメージ信号から帳票の表面の画像を生成し、その画像についての後処理を行う。後処理としては、文字認識処理などである。このようにして光学読取部１７および制御部２０にて、表面の読み取り処理が行われた帳票Ａは、搬送路１５上を帳票排出口１８の側へ搬送され、スタッカ１２へ集積される。
【００３６】
このように、この実施形態の光学的帳票読取装置１によれば、ホッパテーブル１１と搬送路１５の間に、ホッパテーブル１１側の第２の基準壁面１９ａから搬送路１５に向って傾斜する傾斜面１９ｂを有するガイド板１９を配置したので、帳票Ａがこの傾斜面１９ｂを乗り越えることができ、搬送不良を起こさず、安定した帳票取込が可能となる。
【００３７】
また、この実施形態の光学的帳票読取装置１によれば、ガイド板１９の傾斜面１９ｂがホッパテーブル１１と搬送路１５の間の壁面１１ａ側とは反対側である壁面１１ｂ側に配置されているので、取り込まれる帳票Ａの辺Ａ３の高さが、壁面（第１の基準壁面）１１ａ側の帳票Ａの辺Ａ１より低くなっていても、帳票Ａがこの傾斜面１９ｂを乗り越えることができ、搬送不良を起こさず、さらに安定した帳票取込が可能となる。
【００３８】
（実施形態２）
図７は、実施形態２のガイド板１９の構成を示す斜視図である。図８は、図７のガイド板１９が傾斜面を形成した時を示す斜視図である。図９は、図７のガイド板１９の側面図である。図１０は、図８のガイド板１９の側面図である。
図７、図８に示すように、ガイド板１９は、傾斜面を形成するように可動可能な第１、第２の板部材１９ｆ，１９ｇを有する。
【００３９】
図９、図１０に示すように、この第１の板部材１９ｆは、側面がコ字形状に形成された第１〜第３の板材１９ｆ１，１９ｆ２，１９ｆ３から構成されている。この第１の板部材１９ｆは、第１の板材１９ｆ１と第２の板材１９ｆ２とのなす内角が略１２５度に形成される。また、この第１の板部材１９ｆは、第２の板材１９ｆ２と第３の板材１９ｆ３とがなす辺１９ｆ４の接続部Ｐ１を支点として矢印方向に回動可能に構成されている。
【００４０】
また、第３の板材１９ｆ３の下面には取付部Ｐ２が形成され、この取付部Ｐ２を作用点として、後述する駆動軸２２ｂの二股の一方の先端が接続している。第２の板材１９ｆ２と第３の板材１９ｆ３との接続部がなす内角は、９０度に形成されている。
【００４１】
この第２の板部材１９ｇは、略平板形状に形成されている。この第２の板部材１９ｇは、搬送路１５側の一辺の接続部Ｐ３を支点として矢印方向に回動可能に構成されている。また、第２の板部材１９ｇの下面には取付部Ｐ４が形成され、この取付部Ｐ４を作用点として、後述する駆動軸２２ｂの二股の他方の先端が接続している。
【００４２】
ここで、第１の板部材１９ｆが接続部Ｐ１を支点として、図１０の反時計方向に回動し、第２の板部材１９ｇが接続部Ｐ３を支点として、図１０の時計方向に回動すると、図７、図９に示すように第１の板部材１９ｆの第２の板材１９ｆ２は壁面１９ａ上に垂直に移動する。これに伴い、第１の板部材１９ｆの第３の板材１９ｆ３は水平面１９ｃと同じ高さの水平に移動する。
【００４３】
また、この回動に伴い、第２の板部材１９ｇも水平面１９ｃと同じ高さの水平に移動し、第３の板材１９ｆ３の辺１９ｆ５と第２の板部材１９ｇのホッパテーブル１１側の辺１９ｇ１とは接近して対向する。
これにより、第２の板材１９ｆ２は壁面１９ａと同様の壁面を形成し、第３の板材１９ｆ３と第２の板部材１９ｇは、水平面１９ｃと同様の水平面を形成することができる。
【００４４】
また、上記の状態から第１の板部材１９ｆが接続部Ｐ１を支点として、図１０の時計方向に４５度回動し、第２の板部材１９ｇが接続部Ｐ３を支点として、図１０の反時計方向に４５度回動すると、図８、図１０に示すように第１の板部材１９ｆの第２の板材１９ｆ２はホッパテーブル１１から搬送路１５に向って傾斜する。
【００４５】
また、この回動に伴い、第２の板部材１９ｇもホッパテーブル１１から搬送路１５に向って傾斜し、第２の板材１９ｆ２と第３の板材１９ｆ３とがなす辺１９ｆ４と第２の板部材１９ｇの辺１９ｇ１とは接近して対向する。
これにより、第２の板材１９ｆ２と第２の板部材１９ｇは、同じ傾きで連なる傾斜面を形成することができる。
【００４６】
また、光学的帳票読取装置１は、第１の板部材１９ｆと第２の板部材１９ｇを可動させる可動部２２を備える。
この可動部２２は、モータ２２ａと、駆動軸２２ｂとを有する。
このモータ２２ａは、制御部２０の回転制御によって、駆動軸２２ｂを上下方向に移動させる。
【００４７】
この駆動軸２２ｂは、上端側が二股に形成され、この二股の一方の先端には、第３の板材１９ｆ３の取付部Ｐ２が回動可能に接続されている。また、この二股の他方の先端には、第２の板部材１９ｇの取付部Ｐ４が回動可能に接続されている。
【００４８】
次に、図７〜図１０を参照してこの光学的帳票読取装置１の動作を説明する。なお、この光学的帳票読取装置１は、初期状態としては図７、図９の状態にあるものとする。
この光学的帳票読取装置１では、操作部３１より処理開始（帳票読み取り）の指示コマンドの入力があった場合、制御部２０は、モータ２２ａを回転制御して駆動軸２２ｂを下降させる。
【００４９】
図８、図１０に示すように、この駆動軸２２ｂの下降に伴い、第１の板部材１９ｆが接続部Ｐ１を支点として、時計方向に４５度回動し、第２の板部材１９ｇが接続部Ｐ３を支点として、反時計方向に４５度回動する。そして、第１の板部材１９ｆの第２の板材１９ｆ２はホッパテーブル１１から搬送路１５に向って４５度傾斜する。
【００５０】
また、この回動に伴い、第２の板部材１９ｇがホッパテーブル１１から搬送路１５に向って４５度傾斜し、第２の板材１９ｆ２と第３の板材１９ｆ３とがなす辺１９ｆ４と第２の板部材１９ｇの辺１９ｇ１とが接近して対向する。この動作により、第２の板材１９ｆ２と第２の板部材１９ｇは、同じ傾きで連なる傾斜面を形成する。
次に、制御部２０は、ピックアップローラ３５を矢印方向（図１０参照）へ回転させ、駆動部４０を制御してホッパテーブル１１を上昇させる。
【００５１】
そして、ホッパテーブル１１上に積載された帳票のうちの最上部の帳票Ａが、ピックアップするのに最適な高さになった基準搬送位置でピックアップローラ３５に当接する。帳票Ａがこの位置に配置された光センサーにより「暗」検知されると、制御部２０はホッパテーブル１１の上昇を停止させる。ここで、回転しているピックアップローラ３５により最上部の帳票Ａが搬送路１５内へ引き入れられる。
【００５２】
ホッパテーブル１１を停止後、制御部２０は、フィードローラ３６を正転（図２の反時計方向）すると共に、リバースローラ３８を逆転（図２の反時計方向）するよう駆動部４０を制御する。各ローラの回転で、ピックアップローラ３５により繰り出された帳票Ａが、第２の板材１９ｆ２と第２の板部材１９ｇで形成された傾斜面を乗り越えて、搬送路１５内に取り込まれる。
なお、帳票Ａの取り込み動作は、停止を指示するコマンドが入力されるか、または帳票Ａがホッパテーブル１１からなくなるまで繰り返される。
【００５３】
ここで、光学的帳票読取装置１内に引き入れられた帳票Ａの辺Ａ３の高さが、帳票Ａの辺Ａ１より低くなっていても、この帳票Ａの辺Ａ３がガイド板１９の傾斜面１９ｂ上を案内され、ガイド板１９を乗り越えることができる。すなわち、帳票Ａの辺Ａ２がガイド板１９の傾斜面１９ｂ上を乗り越えて、搬送路１５側に取り込まれ、帳票Ａは搬送ローラ３２によって搬送路１５に搬送され、光学読取部１７の読み取り位置まで搬送される（図２参照）。
【００５４】
次に、停止を指示するコマンドが入力されるか、または帳票Ａがホッパテーブル１１からなくなると、制御部２０は、ピックアップローラ３５を停止させ、駆動部４０を制御してホッパテーブル１１を下降させる。
【００５５】
さらに、制御部２０は、フィードローラ３６、リバースローラ３８、搬送ローラ３２を停止させる。次に、制御部２０は、モータ２２ａを回転制御して駆動軸２２ｂを上昇させる。
【００５６】
図７、図９に示すように、この駆動軸２２ｂの上昇に伴い、第１の板部材１９ｆが接続部Ｐ１を支点として、反時計方向に４５度回動し、第２の板部材１９ｇが接続部Ｐ３を支点として、時計方向に４５度回動する。
【００５７】
また、この回動に伴い、第２の板部材１９ｇも水平面１９ｃと同じ高さの水平に移動し、第３の板材１９ｆ３の辺１９ｆ５と第２の板部材１９ｇのホッパテーブル１１側の辺１９ｇ１とは接近して対向する。この動作により、第２の板材１９ｆ２は壁面１９ａと同様の壁面を形成し、第３の板材１９ｆ３と第２の板部材１９ｇは、水平面１９ｃと同様の高さの水平面を形成して動作を終了する。
【００５８】
このように、この実施形態の光学的帳票読取装置１によれば、ガイド板１９が可動可能な第１、第２の板部材１９ｆ，１９ｇを有し、処理開始のコマンド入力があると、第１、第２の板部材１９ｆ，１９ｇで、ホッパテーブル１１側の第２の基準壁面１９ａから搬送路１５に向って傾斜するガイド板１９の傾斜面を形成するので、実施形態１と同様、帳票Ａがこの傾斜面１９ｂを乗り越えることができ、搬送不良を起こさず、安定した帳票取込が可能となる。
【００５９】
また、この実施形態の光学的帳票読取装置１によれば、処理開始のコマンド入力がある場合に、第１、第２の板部材１９ｆ，１９ｇがガイド板１９の傾斜面を形成し、それ以外は第１、第２の板部材１９ｆ，１９ｇがガイド板１９の傾斜面を形成しないので、必要な場合に的確な帳票取込が可能となる。
【００６０】
なお、この実施形態では、可動部２２により第１、第２の板部材１９ｆ，１９ｇを可動するように構成したが、この発明はこれに限らず、例えば作業者が手動でこの第１、第２の板部材１９ｆ，１９ｇを可動させることも可能である。
【００６１】
また、第１の板部材１９ｆは、側面がコ字形状に形成させたが、これに限らず、例えば第２、第３の板材１９ｆ２，１９ｆ３のＬ字形状に形成することも可能である。この場合には、第２の板材１９ｆ２の長手方向の一辺の接続点Ｐ１を支点にして、第１の板部材１９ｆを回動させる。
【００６２】
（実施形態３）
図１１は、実施形態３のガイド板１９の側面図である。図１２は、図１１のガイド板１９が仕切板２３を下げた状態の側面図である。なお、ガイド板１９は、実施形態１に示したガイド板１９と同様の構成である。
図１１、図１２に示すように、給紙装置１０は、仕切板２３と、移動部２４とを有する。
【００６３】
この仕切板２３は、ホッパテーブル１１とガイド板１９の間に配置され、ホッパテーブル１１とガイド板１９との仕切り、仕切解除が可能に移動する。すなわち、この仕切板２３は、ホッパテーブル１１側の保持部材２５とガイド板１９の壁面１９ａとの間に上下方向に移動可能に保持されている。この仕切板２３の下端には、後述する移動部２４の移動軸２４ｂの先端が接続されている。
【００６４】
移動部２４は、モータ２４ａと、移動軸２４ｂとを有する。
このモータ２４ａは、制御部２０の回転制御によって、移動軸２４ｂを給紙ローラ６の方向または給紙ローラから離間する方向に上下移動させる。
この移動軸２４ｂは、上側の先端が仕切板２３の下端に接続されている。
【００６５】
次に、図１１〜図１２を参照してこの光学的帳票読取装置１の動作を説明する。なお、この光学的帳票読取装置１は、初期状態としては図１１の状態にあって、ホッパテーブル１１とガイド板１９を仕切っているものとする。
【００６６】
この光学的帳票読取装置１では、操作部３１より処理開始（帳票読み取り）の指示コマンドの入力があった場合、制御部２０は、モータ２４ａを回転制御して移動軸２４ｂを下降させる。
【００６７】
図１２に示すように、この移動軸２４ｂの下降に伴い、仕切板２３が保持部材２５とガイド板１９の壁面１９ａ間を摺動しながら矢印方向（給紙ローラ６から離間する方向）に降下し、ホッパテーブル１１とガイド板１９との仕切りを解除する。
次に、制御部２０は、ピックアップローラ３５を矢印方向（図１２参照）へ回転させ、駆動部４０を制御してホッパテーブル１１を上昇させる。
【００６８】
そして、ホッパテーブル１１上に積載された帳票のうちの最上部の帳票Ａが、ピックアップするのに最適な高さになった基準搬送位置でピックアップローラ３５に当接する。帳票Ａがこの位置に配置された光センサーにより「暗」検知されると、制御部２０はホッパテーブル１１の上昇を停止させる。ここで、回転しているピックアップローラ３５により最上部の帳票Ａが搬送路１５内へ引き入れられる。
【００６９】
ホッパテーブル１１を停止後、制御部２０は、フィードローラ３６を正転（図２の時計方向）すると共に、リバースローラ３８を逆転（図２の反時計方向）するよう駆動部４０を制御する。各ローラの回転で、ピックアップローラ３５により繰り出された帳票Ａが、ガイド板１９の傾斜面１９ｂを乗り越えて、搬送路１５内に取り込まれる。
なお、帳票Ａの取り込み動作は、停止を指示するコマンドが入力されるか、または帳票Ａがホッパテーブル１１からなくなるまで繰り返される。
【００７０】
ここで、光学的帳票読取装置１内に引き入れられた帳票Ａの辺Ａ３の高さが、帳票Ａの辺Ａ１より低くなっていても、この帳票Ａの辺Ａ３がガイド板１９の傾斜面１９ｂ上を案内され、ガイド板１９を乗り越える。これにより、帳票Ａの辺Ａ２がガイド板１９の傾斜面１９ｂ上を乗り越えて、搬送路１５側に取り込まれ、帳票Ａは搬送ローラ３２によって搬送路１５に搬送され、光学読取部１７の読み取り位置まで搬送される（図２参照）。
【００７１】
次に、停止を指示するコマンドが入力されるか、または帳票Ａがホッパテーブル１１からなくなると、制御部２０は、ピックアップローラ３５を停止させ、駆動部４０を制御してホッパテーブル１１を下降させる。
【００７２】
さらに、制御部２０は、フィードローラ３６、リバースローラ３８、搬送ローラ３２を停止させる。次に、制御部２０は、モータ２４ａを回転制御して移動軸２４ｂを上昇させる。
【００７３】
図１１に示すように、この移動軸２４ｂの上昇に伴い、仕切板２３が保持部材２５とガイド板１９の壁面１９ａ間を摺動しながら矢印方向（給紙ローラ６の方向）に上昇し、ホッパテーブル１１とガイド板１９とを仕切って動作を終了する。
【００７４】
このように、この実施形態の光学的帳票読取装置１によれば、給紙装置１０がホッパテーブル１１とガイド板１９とを仕切る仕切板２３を有し、処理開始のコマンド入力があると、仕切板２３が下降してホッパテーブル１１とガイド板１９の仕切を解除するので、実施形態１と同様、帳票Ａがこの傾斜面１９ｂを乗り越えることができ、搬送不良を起こさず、安定した帳票取込が可能となる。
【００７５】
また、この実施形態の光学的帳票読取装置１によれば、処理開始のコマンド入力がある場合に、仕切板２３が下降してホッパテーブル１１とガイド板１９の仕切を解除し、それ以外はホッパテーブル１１とガイド板１９を仕切るので、必要な場合に的確な帳票取込が可能となる。
【００７６】
なお、この実施形態では、移動部２４により仕切板２３を移動するように構成したが、この発明はこれに限らず、例えば作業者が手動でこの仕切板２３を移動させることも可能である。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、様々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
Ａ…帳票、Ａ１，Ａ２，Ａ３…帳票の辺、Ｐ１，Ｐ３…接続部、Ｐ２，Ｐ４…取付部、１…光学的帳票読取装置、１０…給紙装置、１１…ホッパテーブル、１１ａ，１１ｂ…壁面、１１ｃ…テーブル面、１２…スタッカ、１４…操作パネル部、１５…搬送路、１６…給紙ローラ、１７…光学読取部、１８…帳票排出口、１９…ガイド板、１９ａ…壁面、１９ｂ…傾斜面、１９ｃ…水平面、１９ｄ…凸部、１９ｅ…段差、１９ｆ…第１の板部材、１９ｆ１…第１の板材、１９ｆ２…第２の板材、１９ｆ３…第３の板材、１９ｆ４，１９ｆ５，１９ｇ１…辺、１９ｇ…第２の板部材、２０…制御部、２１…電源部、２２…可動部、２２ａ…モータ、２２ｂ…駆動軸、２３…仕切板、２４…移動部、２４ａ…モータ、２４ｂ…移動軸、２５…密着センサー、３０…ディスプレイ、３１…操作部、３２…搬送ローラ、３３…ドライブローラ、３５…ピックアップローラ、３６…フィードローラ、３８…リバースローラ、４０…駆動部、４２…メモリ、４３…インターフェース。
【図１】
2013199360.tif 000003
【図２】
2013199360.tif 000004
【図３】
2013199360.tif 000005
【図４】
2013199360.tif 000006
【図５】
2013199360.tif 000007
【図６】
2013199360.tif 000008
【図７】
2013199360.tif 000009
【図８】
2013199360.tif 000010
【図９】
2013199360.tif 000011
【図１０】
2013199360.tif 000012
【図１１】
2013199360.tif 000013
【図１２】
2013199360.tif 000014